(57)【要約】【課題】撮像装置のバッテリを充電中に所定の動作指示を受けた場合に、充電を優先するか所定の動作を実行するかを選択できるようにする。【解決手段】通信装置は、撮像装置と通信する通信手段と、前記通信手段を介して前記撮像装置と通信することにより前記撮像装置の動作を制御する制御手段と、前記通信手段を介して前記撮像装置に所定の動作を実行させる場合に、前記撮像装置のバッテリの充電状態を判定する判定手段と、前記判定手段により前記バッテリが充電中であると判定された場合に、前記所定の動作を実行するか否かをユーザが選択可能な選択手段と、を有する。【選択図】図２
2019054487.tif 000002
【特許請求の範囲】
【請求項１】
撮像装置と通信する通信手段と、
前記通信手段を介して前記撮像装置と通信することにより前記撮像装置の動作を制御する制御手段と、
前記通信手段を介して前記撮像装置に所定の動作を実行させる場合に、前記撮像装置のバッテリの充電状態を判定する判定手段と、
前記判定手段により前記バッテリが充電中であると判定された場合に、前記所定の動作を実行するか否かをユーザが選択可能な選択手段と、を有することを特徴とする通信装置。
【請求項２】
前記判定手段により前記バッテリが充電中ではないと判定された場合、前記制御手段は、ユーザに前記選択手段による選択をさせずに前記撮像装置に前記所定の動作を実行させることを特徴とする請求項１に記載の通信装置。
【請求項３】
前記バッテリが充電中であると判定された場合、前記制御手段は、前記バッテリの残量が閾値を超える場合は前記所定の動作を実行可能とし、前記閾値を超えない場合は前記所定の動作を実行できないようにすることを特徴とする請求項１または２に記載の通信装置。
【請求項４】
前記バッテリの残量が閾値を超える場合、前記判定手段は、前記撮像装置に電力を供給している外部装置の給電能力を判定し、
前記制御手段は、前記給電能力が閾値を超える場合は充電を継続しながら前記所定の動作を実行可能とし、前記閾値を超えない場合は充電を停止して前記所定の動作を実行可能とすることを特徴とする請求項３に記載の通信装置。
【請求項５】
前記選択手段は、充電を継続しながら前記所定の動作を実行するか、充電を停止して前記所定の動作を実行するかをユーザが選択可能なＵＩ画面であることを特徴とする請求項４に記載の通信装置。
【請求項６】
前記バッテリの残量が閾値を超える場合、前記判定手段は、前記バッテリが満充電の状態であるか判定し、
前記制御手段は、前記バッテリが満充電の状態である場合はユーザに前記選択手段による選択をさせずに前記撮像装置に前記所定の動作を実行させ、前記バッテリが満充電の状態ではない場合は、前記選択手段により前記所定の動作を実行するか否かをユーザに選択させることを特徴とする請求項１または２に記載の通信装置。
【請求項７】
前記制御手段は、ユーザが前記選択手段を介して前記所定の動作を実行することを選択した場合、前記通信手段を介して前記撮像装置に前記所定の動作を実行させるための指示を送信することを特徴とする請求項１から６のいずれか１項に記載の通信装置。
【請求項８】
前記所定の動作は、撮像動作であることを特徴とする請求項１から７のいずれか１項に記載の通信装置。
【請求項９】
前記通信手段は、無線通信手段であり、
前記制御手段は、前記通信手段を介して前記撮像装置を遠隔制御することを特徴とする請求項１から８のいずれか１項に記載の通信装置。
【請求項１０】
撮像手段と、
外部装置から供給される電力でバッテリを充電する充電手段と、
通信装置と通信する通信手段と、
前記バッテリの充電中に前記通信装置から受信した所定の動作を実行する指示に応じて、撮像装置の動作を制御する制御手段と、を有することを特徴とする撮像装置。
【請求項１１】
前記制御手段は、前記通信手段を介して前記通信装置から充電を継続しながら前記所定の動作を実行する指示または充電を停止して前記所定の動作を実行する指示を受信することを特徴とする請求項１０に記載の撮像装置。
【請求項１２】
前記所定の動作は、撮像動作であることを特徴とする請求項１０または１１に記載の撮像装置。
【請求項１３】
前記通信手段は、無線通信手段であり、
前記撮像装置は、前記通信手段を介して前記通信装置により遠隔制御されることを特徴とする請求項１０から１２のいずれか１項に記載の撮像装置。
【請求項１４】
撮像装置と通信する通信手段と、
前記通信手段を介して前記撮像装置と通信することにより前記撮像装置の動作を制御する制御手段と、を有する通信装置の制御方法であって、
前記通信手段を介して前記撮像装置に所定の動作を実行させる場合に、前記撮像装置のバッテリの充電状態を判定する判定ステップと、
前記バッテリが充電中であると判定された場合に、前記所定の動作を実行するか否かをユーザが選択可能な選択ステップと、を有することを特徴とする通信装置の制御方法。
【請求項１５】
撮像手段と、
外部装置から供給される電力でバッテリを充電する充電手段と、
通信装置と通信する通信手段と、を有する撮像装置の制御方法であって、
前記バッテリの充電中に前記通信装置から受信した所定の動作を実行する指示に応じて、撮像装置の動作を制御することを特徴とする撮像装置の制御方法。
【請求項１６】
コンピュータに、請求項１４または１５に記載された制御方法を実行させるためのプログラム。
【発明の詳細な説明】
【技術分野】
【０００１】
本発明は、バッテリ充電中の撮像装置の制御に関する。
【背景技術】
【０００２】
近年のデジタルカメラ等の撮像装置は着脱可能なバッテリを備え、撮像装置にバッテリを装着した状態でＵＳＢ（Ｕｎｉｖｅｒｓａｌ  Ｓｅｒｉａｌ  Ｂｕｓ）などで接続された外部装置から供給される電力を用いてバッテリを充電することができる。外部装置と撮像装置がＵＳＢ接続されると、両装置の間でエニュメレーションと呼ばれるデータのやり取りが行われ、撮像装置はエニュメレーションによって外部装置が供給可能な電力情報などを把握できる。
【０００３】
また、撮像装置とスマートフォンなどの通信装置を無線接続し、通信装置により撮像装置を遠隔制御する技術が知られている。遠隔制御により撮像装置に撮像などの所定の動作を実行させるためには撮像装置のバッテリに必要な電力が蓄えられている必要がある。特許文献１には、バッテリに必要な電力が蓄えられていない場合に、撮像を実行せずにバッテリ残量不足をユーザに警告する技術が記載されている。
【先行技術文献】
【特許文献】
【０００４】
【特許文献１】特開２０１３-１３５３４７号公報
【発明の概要】
【発明が解決しようとする課題】
【０００５】
従来は、外部装置から供給される電力を用いて撮像装置のバッテリを充電している間は、遠隔制御により通信装置から撮像装置に所定の動作指示を送信しても充電を優先するため、所定の動作を実行することはできない。この場合、撮像装置が所定の動作を実行するために必要な電力がバッテリにあるのに、所定の動作を実行できないのは不便であり、充電を優先するか所定の動作を実行するかをユーザが選択できれば便利である。
【０００６】
本発明の目的は、撮像装置のバッテリを充電中に所定の動作指示を受けた場合に、充電を優先するか所定の動作を実行するかを選択できるようにすることである。
【課題を解決するための手段】
【０００７】
上記目的を達成するために、本発明の通信装置は、撮像装置と通信する通信手段と、前記通信手段を介して前記撮像装置と通信することにより前記撮像装置の動作を制御する制御手段と、前記通信手段を介して前記撮像装置に所定の動作を実行させる場合に、前記撮像装置のバッテリの充電状態を判定する判定手段と、前記判定手段により前記バッテリが充電中であると判定された場合に、前記所定の動作を実行するか否かをユーザが選択可能な選択手段と、を有する。
【発明の効果】
【０００８】
本発明によれば、撮像装置のバッテリを充電中に所定の動作指示を受けた場合に、充電を優先するか所定の動作を実行するかを選択できるようになるので、ユーザの利便性を向上することができる。
【図面の簡単な説明】
【０００９】
【図１】実施形態１、２のシステム構成を説明するためのブロック図。
【図２】実施形態１の通信装置の動作を説明するためのフローチャート。
【図３】実施形態１の撮像装置の動作を説明するためのフローチャート。
【図４】実施形態２の通信装置の動作を説明するためのフローチャート。
【図５】実施形態１、２の通信装置のＵＩ画面の一例を示す図。
【発明を実施するための形態】
【００１０】
以下、図面を参照して本発明の実施形態を説明する。ただし、本発明の実施形態は以下の実施形態に限定されるものではない。
【００１１】
［実施形態１］
以下、図１から図３および図５を参照して、実施形態１について説明する。
【００１２】
＜システム構成＞
図１は、実施形態１のシステム構成を説明するためのブロック図である。
【００１３】
本実施形態は、撮像装置１００がＵＳＢ接続された外部装置２００から供給される電力を用いてバッテリを充電し、無線接続された通信装置３００により撮像装置１００を遠隔制御するシステムである。
【００１４】
撮像装置１００は、例えば、デジタルカメラおよびデジタルビデオカメラの少なくとも一つとして動作する。なお、撮像装置１００はカメラに限定されるものではなく、カメラ機能を搭載する電子機器であればよい。また、撮像装置１００は、ＵＳＢ（Ｕｎｉｖｅｒｓａｌ Ｓｅｒｉａｌ Ｂｕｓ）規格に準拠した構成を有し、ＵＳＢデバイスとして動作可能である。外部装置２００は、例えば、ＵＳＢデバイスとして動作可能な充電器である。通信装置３００は、例えば、スマートフォンやタブレット端末である。
【００１５】
図１に示すように、撮像装置１００は、カメラ部１０１、画像メモリ１０２、表示部１０３、システム制御部１０４、不揮発性メモリ１０５、システムメモリ１０６、バッテリ装置１０７を有する。また、撮像装置１００は、第１通信インタフェース（ＩＦ）部１０８、第１通信制御部１０９、電源制御部１１０、電源スイッチ１１１と、ユーザインタフェース（ＩＦ）部１１２、第２通信インタフェース（ＩＦ）部１１３、第２通信制御部１１４を有する。
【００１６】
カメラ部１０１は、レンズ、撮像素子、画像処理回路等を有する。撮像装置１００の動作モードがカメラモードである場合、カメラ部１０１は、光学像に対応する画像データを生成することができる。カメラ部１０１で生成された画像データは、システム制御部１０４を介して、画像メモリ１０２、表示部１０３、第１通信制御部１０８および第２通信制御部１０９に供給される。カメラ部１０１で生成される画像データは、静止画像データ、動画像データのいずれであってもよい。
【００１７】
画像メモリ１０２は、例えば、ＲＡＭ（Ｒａｎｄｏｍ  Ａｃｃｅｓｓ  Ｍｅｍｏｒｙ）である。撮像装置１００の動作モードがカメラモードである場合、システム制御部１０４は、カメラ部１０１で生成された画像データを画像メモリ１０２に格納することができる。撮像装置１００の動作モードが再生モードである場合、システム制御部１０４は、画像メモリ１０２に格納されている画像データを画像メモリ１０２から読み出すことができる。画像メモリ１０２から読み出された画像データは、表示部１０３、第１通信制御部１０９および第２通信制御部１１４に供給される。画像メモリ１０２は、撮像装置１００から取り外し可能なメモリであっても、撮像装置１００に内蔵されているメモリであってもよい。
【００１８】
表示部１０３は、画像を表示するための液晶または有機ＥＬなどの表示デバイスを有する。撮像装置１００の動作モードがカメラモードである場合、表示部１０３は、カメラ部１０１で生成された画像データに対応する画像を表示することができる。撮像装置１００の動作モードが再生モードである場合、表示部１０３は、画像メモリ１０２に格納されている画像データに対応する画像を表示することができる。
【００１９】
システム制御部１０４は、ＣＰＵ（Ｃｅｎｔｒａｌ  Ｐｒｏｃｅｓｓｉｎｇ  Ｕｎｉｔ）またはＭＰＵ（Ｍｉｃｒｏ−Ｐｒｏｃｅｓｓｉｎｇ  Ｕｎｉｔ）等を含むマイクロコンピュータを有し、撮像装置１００に含まれる全ての構成要素を制御する。不揮発性メモリ１０５は、例えば、電気的に消去・記録可能なメモリであり、例えば、ＥＥＰＲＯＭである。不揮発性メモリ１０５は、システム制御部１０４の動作用の定数、プログラム等を記憶している。ここでいう、プログラムとは、本実施形態にて後述するフローチャートの処理を実行するためのプログラムのことである。
【００２０】
システムメモリ１０６は、例えば、ＲＡＭ（Ｒａｎｄｏｍ  Ａｃｃｅｓｓ Ｍｅｍｏｒｙ）であり、システム制御部１０４の動作用の定数、変数、不揮発性メモリ１０５から読み出したプログラム等を展開する作業領域として使用される。また、システムメモリ１０６は、カメラ部１０１で生成された画像データを一時的に保持するバッファメモリや、表示部１０３の画像表示用メモリとして使用することもできる。
【００２１】
バッテリ装置１０７は、少なくとも一つの充電可能な二次電池を有する。バッテリ装置１０７は、撮像装置１００から取り外し可能であっても、撮像装置１００に内蔵された構成でもよい。
【００２２】
第１通信ＩＦ部１０８は、例えば、ＵＳＢ（Ｕｎｉｖｅｒｓａｌ  Ｓｅｒｉａｌ Ｂｕｓ）規格に準拠している。第１通信ＩＦ部１０８は、バッテリ装置１０７から供給される電力と第１通信インタフェース部１０８に接続されている外部装置２００から供給される電力の少なくとも一つを用いて動作することが可能である。
【００２３】
第１通信制御部１０９は、外部装置２００との間で電力供給（給電）およびデータ通信を制御することができる。第１通信制御部１０９は、ＵＳＢ規格で規定されたエニュメレーション（ｅｎｕｍｅｒａｔｉｏｎ）処理を行うことができる。エニュメレーション処理は、外部装置２００と第１通信制御部１０９との間で行われる接続処理である。第１通信制御部１０９は、外部装置２００の種別を判定することもできる。撮像装置１００の動作モードがカメラモードである場合、第１通信制御部１０９は、カメラ部１０１で生成された画像データを外部装置２００に転送することができる。撮像装置１００の動作モードが再生モードである場合、第１通信制御部１０９は、画像メモリ１０２に格納されている画像データを外部装置２００に転送することができる。第１通信制御部１０９は、バッテリ装置１０７から供給される電力と外部装置２００から供給される電力の少なくとも一つを用いて動作する。
【００２４】
電源制御部１１０は、バッテリ装置１０７から供給される電力と外部装置２００から供給される電力の少なくとも一つを用いて撮像装置１００の各部への電力供給を制御する。バッテリ装置１０７は、撮像装置１００の電源の一つである。外部装置２００も第１通信ＩＦ部１０８に接続されて撮像装置１００の電源の一つとなる。なお、外部装置２００は、撮像装置１００に対して有線で接続した形態に限らず、非接触で給電およびデータ通信が可能な形態であってもよい。
【００２５】
電源制御部１１０は、バッテリ装置１０７から供給される電力と外部装置２００から供給される電力を受け取ることができる。電源制御部１１０は、外部装置２００から供給される電力を用いて、バッテリ装置１０７を充電する制御を行うこともできる。電源制御部１１０は、バッテリ装置１０７から供給される電力と外部装置２００から供給される電力の少なくとも一つを用いて動作することができる。
【００２６】
電源スイッチ１１１は、撮像装置１００の電源をオンまたはオフに切り替えるためのユーザが操作可能な操作部材である。システム制御部１０４は、電源スイッチ１１１がオンされると撮像装置１００の起動処理を行い、電源スイッチ１１１がオフされると撮像装置１００のシャットダウン処理を行う。
【００２７】
ユーザＩＦ部１１２は、ユーザ操作を受け付ける操作部の各種状態をシステム制御部１０４に通知する。操作部は、ユーザからの各種操作を受け付ける各種スイッチ、ボタン、表示部１０３と一体構成されるタッチパネルなどを含む。操作部は、例えば、撮像装置１００の動作モードを選択するためのモード切替スイッチ、画像の撮像を指示するためのシャッターボタンを含む。
【００２８】
第２通信ＩＦ部１１３は、有線または無線でスマートフォンやタブレット端末などの通信装置３００と通信を行う。第２通信ＩＦ部１１３は、例えば、通信装置３００としてのスマートフォンと無線ＬＡＮを用いた通信を行い、スマートフォンから所定の動作指示（撮像指示や画像転送指示など）に対応するコマンドを受信することができる。
【００２９】
第２通信制御部１１４は、通信装置３００とのデータ通信を制御することができる。第２通信制御部１１４は、第２通信ＩＦ部１１３を介して通信装置３００から受信した所定の動作指示（撮像指示や画像転送指示など）に対応するコマンドをシステム制御部１０４に通知する。システム制御部１０４は、通信装置３００から受信した所定の動作指示（撮像指示や画像転送指示など）に対応するコマンドに基づいて撮像装置１００の動作を制御する。
【００３０】
本実施形態では、通信装置３００としてのスマートフォンのアプリケーションにより、撮像装置１００を遠隔から制御可能である。撮像装置１００は、通信装置３００としてのスマートフォンのアプリケーションにより動作モードを切り替え可能である。なお、以下では、通信装置３００からの撮像指示を「リモートキャプチャ」と呼ぶ。
【００３１】
通信装置３００は、カメラ部３０１、画像メモリ３０２、表示部３０３、制御部３０４、不揮発性メモリ３０５、システムメモリ３０６、ユーザＩＦ部３０７、通信部３０８を有する。これらの要素の基本的な機能は撮像装置１００と同様であり、詳細な説明は省略する。
【００３２】
不揮発性メモリ３０５には、制御部３０４が実行する基本的なソフトウェアであるＯＳ（オペレーティングシステム）や、このＯＳと協働して応用的な機能を実現するアプリケーションが記録されている。また、本実施形態では、不揮発性メモリ３０５には、撮像装置１００と通信するためのアプリケーションが格納されている。通信装置３００としてのスマートフォンの処理は、アプリケーションにより提供されるソフトウェアを読み込むことにより実現される。なお、アプリケーションはスマートフォンにインストールされたＯＳの基本的な機能を利用するためのソフトウェアを有しているものとする。なお、スマートフォンのＯＳが本実施形態における処理を実現するためのソフトウェアを有していてもよい。
【００３３】
ユーザＩＦ部３０７は、ユーザからの各種操作を受け付けるタッチパネルなどの操作部材を含み、撮像した画像の表示、対話的な操作のための文字や図形や記号等のＵＩ（Ｕｓｅｒ Ｉｎｔｅｒｆａｃｅ）画面の表示を行う。
【００３４】
通信部３０８は、撮像装置１００を含む外部装置と無線で通信するための無線ＬＡＮ通信インタフェースを含む。制御部３０４は、通信部３０８を制御することで撮像装置１００を含む外部装置との無線通信を実現する。また、通信部３０８は、撮像装置１００の第２通信ＩＦ部１１３との間で無線ＬＡＮを介したデータ通信を行うことができる。なお、本実施形態の通信方式は無線ＬＡＮに限定されるものではなく、例えば、Ｂｌｕｅｔｏｏｔｈ（登録商標）、赤外線通信インタフェース、ＷｉｒｅｌｅｓｓＵＳＢなどの無線通信インタフェースを含むことができる。
【００３５】
＜動作説明＞
次に、図２および図３を参照して、実施形態１のリモートキャプチャを開始するまでの通信装置３００と撮像装置１００の動作を説明する。
【００３６】
図２は通信装置３００の動作、図３は撮像装置１００の動作をそれぞれ説明するフローチャートである。
【００３７】
以下では、撮像装置１００と通信装置３００が無線ＬＡＮで通信可能に接続され、通信装置３００が撮像装置１００を遠隔から制御可能な状態であるとする。また、図２および図３の処理は、ユーザが通信装置３００の表示部３０３に表示されたＵＩ画面でリモートキャプチャを選択すると開始される。
【００３８】
まず、図２を参照して、通信装置３００の動作を説明する。
【００３９】
Ｓ２０１において、通信装置３００の制御部３０４は、図５（ａ）に示すようなＵＩ画面５００において「リモートキャプチャ」５０１が選択されたことがユーザＩＦ部３０７から通知されると、処理をＳ２０２へ進める。
【００４０】
Ｓ２０２では、通信装置３００の制御部３０４は、通信部３０８を介して撮像装置１００から充電状態を取得し、撮像装置１００の充電状態の判定を行う。
【００４１】
Ｓ２０３で、通信装置３００の制御部３０４は、撮像装置１００が外部装置２００から供給される電力を用いて充電中ではないと判定した場合は、処理をＳ２０４へ進める。また、通信装置３００の制御部３０４は、撮像装置１００が外部装置２００から供給される電力を用いて充電中であると判定した場合は、処理をＳ２０６へ進める。
【００４２】
Ｓ２０４では、通信装置３００の制御部３０４は、通信部３０８を介して撮像装置１００の第２通信ＩＦ部１１３にリモートキャプチャの開始を指示するコマンドを送信する。
【００４３】
Ｓ２０５では、通信装置３００の制御部３０４は、通信部３０８を介して撮像装置１００からリモートキャプチャにより撮像された画像データを受信し、受信した画像データに対応する画像をＵＩ画面に表示する。
【００４４】
Ｓ２０６では、通信装置３００の制御部３０４は、通信部３０８を介して撮像装置１００からバッテリ装置１０７のバッテリ残量Ｃを取得し、バッテリ装置１０７のバッテリ残量Ｃの判定を行う。
【００４５】
Ｓ２０７では、通信装置３００の制御部３０４は、撮像装置１００のバッテリ装置１０７のバッテリ残量Ｃがリモートキャプチャ可能なバッテリ残量の閾値Ｃｔｈを超えると判定した場合は、処理をＳ２０８へ進める。また、通信装置３００は、撮像装置１００のバッテリ装置１０７のバッテリ残量Ｃが閾値Ｃｔｈ以下であると判定した場合は、処理をＳ２１０へ進める。
【００４６】
Ｓ２１０では、通信装置３００の制御部３０４は、撮像装置１００のバッテリ装置１０７のバッテリ残量Ｃがリモートキャプチャ可能なバッテリ残量に満たないため、リモートキャプチャが実行できない状態と判定する。そして、通信装置３００の制御部３０４は、図５（ｄ）に示すようなＵＩ画面５３０を表示部３０３に表示する。図５（ｄ）に示すＵＩ画面５３０には、リモートキャプチャが実行不可であることをユーザに通知するためのメッセージなどが表示される。
【００４７】
Ｓ２０８では、通信装置３００の制御部３０４は、通信部３０８を介して撮像装置１００から外部装置２００の給電能力Ｑを取得し、外部装置２００の給電能力Ｑと閾値Ｑｔｈとを比較する。
【００４８】
Ｓ２１１では、通信装置３００の制御部３０４は、外部装置２００の給電能力Ｑが閾値Ｑｔｈを超えると判定した場合は、処理をＳ２１２へ進める。また、通信装置３００は、外部装置２００の給電能力Ｑが閾値Ｑｔｈ以下であると判定した場合は、処理をＳ２１３へ進める。ここで、閾値Ｑｔｈは、例えば、外部装置２００から供給される最大電力によって、撮像装置１００のバッテリ装置１０７の充電とリモートキャプチャとを同時に実行可能となる値に設定される。例えば、電力値ならば５〜１０Ｗ、電圧値ならば５〜１２Ｖ、電流値ならば１〜２Ａに設定される。
【００４９】
Ｓ２１２では、通信装置３００の制御部３０４は、図５（ｂ）に示すようなＵＩ画面５１０を表示部３０３に表示する。図５（ｂ）に示すＵＩ画面５１０には、リモートキャプチャを行いながら充電できるが、通常より充電に時間がかかることをユーザに通知するためのメッセージ５１１が表示される。また、図５（ｂ）に示すＵＩ画面５１０には、上記メッセージ５１１に加えて、「リモートキャプチャ」を開始するか否かをユーザに選択させるためのメッセージ５１２と、「ＯＫ」ボタン５１３と「キャンセル」ボタン５１４が選択可能に表示される。
【００５０】
Ｓ２１３では、通信装置３００の制御部３０４は、図５（ｃ）に示すようなＵＩ画面５２０を表示部３０３に表示する。図５（ｃ）に示すＵＩ画面５２０には、外部からの電力とバッテリの電力を用いてリモートキャプチャを行うため、充電ができないことをユーザに通知するためのメッセージ５２１が表示される。また、図５（ｃ）に示すＵＩ画面５２０には、上記メッセージ５２１に加えて、「リモートキャプチャ」を開始するか否かをユーザに選択させるためのメッセージ５２２と、「ＯＫ」ボタン５２３と「キャンセル」ボタン５２４が選択可能に表示される。
【００５１】
Ｓ２１４では、通信装置３００の制御部３０４は、図５（ｂ）に示すＵＩ画面５１０において、ユーザにより「ＯＫ」ボタン５１３または「キャンセル」ボタン５１４を操作されたことがユーザＩＦ部１１２から通知されるのを待つ。そして、通信装置３００の制御部３０４は、図５（ｂ）に示すＵＩ画面５１０において、「ＯＫ」ボタン５１３が操作されたことが通知された場合は、処理をＳ２０４に進め、撮像装置１００にリモートキャプチャの開始を指示するコマンドを送信する。ここで、Ｓ２０４では、図５（ｂ）に示すＵＩ画面５１０において、「ＯＫ」ボタン５１３が操作された場合は、撮像装置１００に対して、充電の継続とリモートキャプチャの開始を指示するコマンドが送信される。
【００５２】
また、Ｓ２１４では、通信装置３００の制御部３０４は、図５（ｃ）に示すＵＩ画面５２０において、ユーザにより「ＯＫ」ボタン５２３または「キャンセル」ボタン５２４を操作されたことがユーザＩＦ部１１２から通知されるのを待つ。そして、通信装置３００の制御部３０４は、図５（ｃ）に示すＵＩ画面５２０において、「ＯＫ」ボタン５２３が操作されたことが通知された場合は、処理をＳ２０４に進め、撮像装置１００にリモートキャプチャの開始を指示するコマンドを送信する。ここで、図５（ｃ）に示すＵＩ画面５２０において、「ＯＫ」ボタン５２３が操作されたことが通知された場合は、撮像装置１００に対して、充電の停止とリモートキャプチャの開始を指示するコマンドが送信される。
【００５３】
また、Ｓ２１４において、通信装置３００の制御部３０４は、図５（ｂ）に示すＵＩ画面５１０または図５（ｃ）に示すＵＩ画面５２０において、「キャンセル」ボタン５１４、５２４が操作されたことが通知された場合は、処理をＳ２１５に進める。
【００５４】
Ｓ２１５では、通信装置３００の制御部３０４は、「キャンセル」ボタン５１４、５２４が操作されたことによりリモートキャプチャは実行されないと判定し、図５（ｄ）に示すＵＩ画面５３０を表示部３０３に表示する。また、Ｓ２１５では、通信装置３００の制御部３０４は、撮像装置１００に対して、リモートキャプチャの開始を指示するコマンドを送信しない。
【００５５】
次に、図３を参照して、撮像装置１００の動作を説明する。
【００５６】
Ｓ３０１において、撮像装置１００のシステム制御部１０４は、第２通信ＩＦ部１１３および第２通信制御部１１４を介して通信装置３００からバッテリ装置１０７の状態情報の取得要求を受信したか否かを判定する。バッテリ装置１０７の状態情報には、上述した図２において、Ｓ２０２の判定に用いるバッテリ装置１０７の充電状態、Ｓ２０７の判定に用いるバッテリ残量Ｃ、Ｓ２０９の判定に用いる給電能力Ｑなどが含まれる。撮像装置１００のシステム制御部１０４は通信装置３００からバッテリ装置１０７の状態情報の取得要求を受信したと判定した場合は、処理をＳ３０２へ進め、受信していないと判定した場合は、処理を終了する。
【００５７】
Ｓ３０２では、撮像装置１００のシステム制御部１０４は、第２通信ＩＦ部１１３および第２通信制御部１１４を介して通信装置３００にバッテリ装置１０７の状態情報を送信する。
【００５８】
Ｓ３０３では、撮像装置１００のシステム制御部１０４は、第２通信ＩＦ部１１３および第２通信制御部１１４を介して通信装置３００からコマンドを受信したか否かを判定する。撮像装置１００のシステム制御部１０４は、通信装置３００からコマンドを受信したと判定した場合は処理をＳ３０４に進め、受信していないと判定した場合は、処理を終了する。
【００５９】
Ｓ３０４では、撮像装置１００のシステム制御部１０４は、通信装置３００から受信したコマンドの種別を判定する。撮像装置１００のシステム制御部１０４は、通信装置３００から受信したコマンドが、上述した図２のＳ２０４で送信される、充電の継続とリモートキャプチャの開始を指示するコマンドであると判定した場合は、処理を３０５に進める。また、撮像装置１００のシステム制御部１０４は、通信装置３００から受信したコマンドが、上述した図２のＳ２０４で送信される、充電の停止とリモートキャプチャの開始を指示するコマンドであると判定した場合は、処理をＳ３０６に進める。
【００６０】
Ｓ３０５では、撮像装置１００のシステム制御部１０４は、電源制御部１１０を制御してバッテリ装置１０７の充電を継続すると共に、カメラ部１０１を制御してリモートキャプチャを実行する。
【００６１】
Ｓ３０６では、撮像装置１００のシステム制御部１０４は、電源制御部１１０を制御してバッテリ装置１０７の充電を停止すると共に、カメラ部１０１を制御してリモートキャプチャを実行する。
【００６２】
Ｓ３０７では、撮像装置１００のシステム制御部１０４は、カメラ部１０１により撮像された画像データを、第２通信ＩＦ部１１３および第２通信制御部１１４を介して通信装置３００に送信する。
【００６３】
実施形態１によれば、外部装置２００から供給される電力を用いて撮像装置１００のバッテリ装置１０７を充電中に、通信装置３００からリモートキャプチャの開始指示を受けた場合に、充電を優先するかリモートキャプチャを実行するかを選択できる。これにより、リモートキャプチャが実行できない状況を回避し、ユーザの利便性が向上する。
【００６４】
［実施形態２］
次に、図４および図５を参照して、実施形態２について説明する。
【００６５】
図４は通信装置３００の動作を説明するフローチャートである。
【００６６】
以下では、撮像装置１００と通信装置３００が無線ＬＡＮで通信可能に接続され、通信装置３００が撮像装置１００を遠隔から制御可能な状態であるとする。また、図４の処理は、ユーザが通信装置３００の表示部３０３に表示されたＵＩ画面でリモートキャプチャを選択すると開始される。
【００６７】
なお、撮像装置１００、外部装置２００および通信装置３００の構成、撮像装置１００と外部装置２００および通信装置３００の通信方式は実施形態１と同様である。また、撮像装置１００の動作は、図３と同様である。
【００６８】
また、Ｓ４０１からＳ４０９、Ｓ４１２、Ｓ４１３は、実施形態１の図２のＳ２０１からＳ２０８、Ｓ２１０、Ｓ２１４、Ｓ２１５と同様であるため説明を省略する。
【００６９】
本実施形態では、Ｓ４０８において外部装置２００の給電能力Ｑが閾値Ｑｔｈを超えると判定された場合、Ｓ４１０において、通信装置３００の制御部３０４は、バッテリ装置１０７が満充電であるか否かを判定する。そして、通信装置３００の制御部３０４は、バッテリ装置１０７が満充電であると判定した場合は、処理をＳ４０４に進め、満充電ではないと判定した場合は、処理をＳ４１１に進める。
【００７０】
Ｓ４１１では、通信装置３００の制御部３０４は、図５（ｅ）に示すようなＵＩ画面５４０を表示部３０３に表示する。図５（ｅ）に示すＵＩ画面５４０には、「リモートキャプチャ」を開始するか否かをユーザに選択させるためのメッセージ５４１と、「ＯＫ」ボタン５４２と「キャンセル」ボタン５４３が選択可能に表示される。
【００７１】
その後、Ｓ４１２では、通信装置３００の制御部３０４は、図５（ｅ）に示すＵＩ画面５４０において「ＯＫ」ボタン５４２または「キャンセル」ボタン５４３が操作されたことに応じて必要な動作を行う。
【００７２】
撮像装置１００は、図４の処理において通信装置３００から送信される要求およびコマンドに従って図３の動作を実行する。
【００７３】
実施形態２によれば、実施形態１の効果に加えて、撮像装置１００のバッテリ装置１０７の残量が少ない場合にはユーザに充電かリモートキャプチャかを選択させ、満充電の場合にはユーザ操作を待たずにリモートキャプチャを実行できるようになる。
【００７４】
上述した実施の形態は、本発明を実現するための一例であり、本発明が適用される装置の構成や各種条件によって適宜修正又は変更されるべきものであり、本発明は上述した実施の形態に限定されるものではない。
【００７５】
例えば、上述した実施形態では、バッテリ充電中のリモートキャプチャを一例として説明したが、このような撮像動作に限らず、オートフォーカス処理、自動露出処理、フラッシュプリ発光処理などの撮像準備動作やズーム動作などであってもよい。
【００７６】
［他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７７】
１００…撮像装置、２００…外部装置、３００…通信装置
【図１】
2019054487.tif 000003
【図２】
2019054487.tif 000004
【図３】
2019054487.tif 000005
【図４】
2019054487.tif 000006
【図５】
2019054487.tif 000007